(57)【要約】      （修正有）【課題】蓋部材を開状態で保持できると共に、収納量を確保しつつ薄手にできる小物入れを提供する。【解決手段】底部材２０、蓋部材３０、２枚の横板部材４０を備えた小物入れであり、横板部材は蓋位置設定部材４１と連結部材４２とからなり、蓋位置設定部材は、蓋部材を閉状態としたとき２枚の横板部材は蓋位置設定部材と連結部材とが境界線４３から内側に向けて折り畳まれて収納され、蓋部材を開状態としたとき２枚の横板部材は蓋位置設定部材と連結部材とが平面状となって蓋部材が最大の角度で開いた第１状態と、蓋位置設定部材と連結部材とが境界線から外側に向けて屈曲され、蓋位置設定部材が底部材に立設すると共に連結部材が蓋部材内面に接触して配置され底部材と蓋部材とを所定の角度に保持する第２状態との間で形状が変更可能である。【選択図】図５
0003219719.tif 000002
【実用新案登録請求の範囲】
【請求項１】
物品収納部を備えた矩形の底部材、前記底部材の一辺から折り曲げ可能に延設され前記一辺を除く三辺で形成される開口部を閉じて前記物品収納部を覆い隠す閉状態から前記開口部を開いて前記物品収納部を露出する開状態まで折り曲げ可能な矩形の蓋部材、及び前記底部材と前記蓋部材との間において前記物品収納部を挟んで配置された２枚の横板部材を備えた小物入れであって、
前記２枚の横板部材は、
それぞれ前記底部材に接続され、前記底部材と前記蓋部材との間に配置され前記蓋部材の開位置を設定する蓋位置設定部材と、
前記蓋位置設定部材に連設され、前記蓋位置設定部材との境界線を折曲線として折り曲げ可能に配置され前記蓋位置設定部材と前記蓋部材を連結する連結部材と、
からなり、
前記蓋位置設定部材は、
前記底部材の内面における前記一辺の両端に接続する両辺のうち一方の辺の内側に設定した線分を一つの辺として折り曲げ可能であり且つ前記連結部材との境界線を他の辺とする形状をなし、
前記連結部材は、
前記蓋部材の内面において前記一辺に対して離間するにつれて狭まり前記一辺に対して所定の第１の角度をなす２本の傾斜直線のうち前記線分に近い側の傾斜線分を一つの辺を折曲線として折り曲げ可能であり、且つ前記蓋位置設定部材との前記境界線が前記傾斜線分と所定の第２の角度をなす他の辺とした形状をなし、
前記蓋部材を閉状態としたとき、
前記２枚の横板部材は前記蓋位置設定部材と前記連結部材とが前記境界線から内側に向けて折り畳まれ前記底部材と前記蓋部材との間に収納されるものであり、
前記蓋部材を開状態としたとき、
前記２枚の横板部材は、前記蓋位置設定部材と前記連結部材とが屈曲されずに平面状となって前記蓋部材が最大の角度で開いた第１状態と、前記蓋位置設定部材と前記連結部材とが前記境界線から外側に向けて屈曲され、前記蓋位置設定部材が前記底部材に立設配置されると共に前記連結部材が前記蓋部材における輪郭線内の内面に接触して配置され前記底部材と前記蓋部材とを所定の角度に保持する第２状態、との間で形状が変更可能であることを特徴とする小物入れ。
【請求項２】
前記連結部材及び前記蓋部材には、前記連結部材と前記蓋部材が接触したとき磁力で接合状態を保つ磁力発生手段を配置したことを特徴とする請求項１に記載の小物入れ。
【請求項３】
前記底部材と前記蓋部材の３つの辺の間に線ファスナを配置したことを特徴とする請求項１に記載の小物入れ。
【請求項４】
前記物品収納部は、前側立設部、後側立設部、左側立設部、右側立設部を備え、前記底部材と前記蓋部材には小物入れの厚さを保持するマチ部を備えることを特徴とする請求項１に記載の小物入れ。
【請求項５】
前記蓋部材の内側にポケットを配置したことを特徴とする請求項１に記載の小物入れ。
【考案の詳細な説明】
【技術分野】
【０００１】
本考案は、筆記具や文房具、その他の小物を収納できる二つ折れの小物入れに関する。
【背景技術】
【０００２】
従来、小物入れとして底部材と蓋部材とを開閉できる二つ折れのものがあり、筆入れや財布として使用されている。そして、この種の小物入れは、蓋を開状態に保ち、収納した物品の取り出しを容易にできる。このような構成を備える小物入れとして様々なものが提案されている。
【０００３】
特許文献１には、載置状態で底面を構成する底部材及びこの底部材を上方に開放する開口部を有する収納本体と、この収納本体の底部材又はその近傍に接続部を介して接続され前記開口部を覆う閉止姿勢から前記開口部を開放する展開姿勢までの間で回転可能な蓋体とを備え、前記蓋体が、前記展開姿勢において前記底部材の内面に滑らかに連続し前記閉止姿勢において前記底部材に対面する天井面部を備え、この天井面部が外方に膨出する膨出形状をなすものであり、前記蓋体の天井面部の内面が、入り隅を有しない形状をなしている小物入れが記載されている。
【０００４】
特許文献２には、二つ折りに開閉する硬貨収納部を備えると共に、硬貨収納部の幅方向両側の開口縁には硬貨の落下を防止するマチを折り畳み自在に設け、硬貨収納部を開くと各マチが起立するようにした財布において、前記硬貨収納部の長手方向一端に前記各マチと共に起立する落下防止壁を各マチと連続して設けたことを特徴とする財布が記載されている。
【先行技術文献】
【特許文献】
【０００５】
【特許文献１】特開２０１８−１４８９７０号公報
【特許文献２】実開平０７−２０８３０号公報
【考案の概要】
【考案が解決しようとする課題】
【０００６】
しかし特許文献１、２に記載のものは蓋部材を開状態で保持することが難しく、また、特許文献２のものは財布であるため物品の収納量が少ないという問題がある。
【０００７】
本考案は上述した課題に鑑みてなされたものであり、蓋部材を開状態で保持できると共に、収納量を確保しつつ薄手にできる小物入れを提供することを目的とする。
【課題を解決するための手段】
【０００８】
前記課題を解決する請求項１に記載の考案は物品収納部を備えた矩形の底部材、前記底部材の一辺から折り曲げ可能に延設され前記一辺を除く三辺で形成される開口部を閉じて前記物品収納部を覆い隠す閉状態から前記開口部を開いて前記物品収納部を露出する開状態まで折り曲げ可能な矩形の蓋部材、及び前記底部材と前記蓋部材との間において前記物品収納部を挟んで配置された２枚の横板部材を備えた小物入れであって、前記２枚の横板部材は、それぞれ前記底部材に接続され、前記底部材と前記蓋部材との間に配置され前記蓋部材の開位置を設定する蓋位置設定部材と、前記蓋位置設定部材に連設され、前記蓋位置設定部材との境界線を折曲線として折り曲げ可能に配置され前記蓋位置設定部材と前記蓋部材を連結する連結部材と、からなり、前記蓋位置設定部材は、前記底部材の内面における前記一辺の両端に接続する両辺のうち一方の辺の内側に設定した線分を一つの辺として折り曲げ可能であり且つ前記連結部材との境界線を他の辺とする形状をなし、前記連結部材は、前記蓋部材の内面において前記一辺に対して離間するにつれて狭まり前記一辺に対して所定の第１の角度をなす２本の傾斜直線のうち前記線分に近い側の傾斜線分を一つの辺を折曲線として折り曲げ可能であり、且つ前記蓋位置設定部材との前記境界線が前記傾斜線分と所定の第２の角度をなす他の辺とした形状をなし、前記蓋部材を閉状態としたとき、前記２枚の横板部材は前記蓋位置設定部材と前結部材とが前記境界線から内側に向けて折り畳まれ前記底部材と前記蓋部材との間に収納されるものであり、前記蓋部材を開状態としたとき、前記２枚の横板部材は、前記蓋位置設定部材と前記連結部材とが屈曲されずに平面状となって前記蓋部材が最大の角度で開いた第１状態と、前記蓋位置設定部材と前記連結部材とが前記境界線から外側に向けて屈曲され、前記蓋位置設定部材が前記底部材に立設配置されると共に前記連結部材が前記蓋部材における輪郭線内の内面に接触して配置され前記底部材と前記蓋部材とを所定の角度に保持する第２状態、との間で形状が変更可能であることを特徴とする小物入れである。
【０００９】
本考案によれば、小物入れは底部材と蓋部材と２枚の横板部材とから構成され、横部材はそれぞれ蓋位置設定部材と接続部材とが境界線で折り曲げ可能に接続されて構成されている。そして、小物入れは、蓋部材を閉状態としたとき、２枚の横板部材は蓋位置設定部材と連結部材とが境界線から内側に向けて折り畳まれ前記底部材と前記蓋部材との間に収納されるものであり、また、蓋部材を開状態としたとき、２枚の横板部材は、蓋位置設定部材と連結部材とが屈曲されずに平面状となって前記蓋部材が最大の角度で開いた第１状態と、蓋位置設定部材と前記連結部材とが前記境界線から外側に向けて屈曲され、蓋位置設定部材が前記底部材に立設配置されると共に前記連結部材が蓋部材における輪郭線内の内面に接触して配置され前記底部材と前記蓋部材とを所定の角度に保持する第２状態、との間で形状変更可能である。
【００１０】
よって、小物入れ蓋部材と底部材を開いた状態で、２枚の横板部材左の蓋位置設定部材で蓋部材を第２状態に設定できる。このため、蓋部材が底部材材に対して開いた状態で保持され物品収納部に配置された収納物が取り出しやすくなる。また、蓋部材を閉状態としたとき横板部材を内部に折り畳んで収納できるので、小物入れ全体が平坦な形状になり持ち運びがしやすい。
【００１１】
同じく請求項２に記載の考案は、前記連結部材及び前記蓋部材の間には、前記連結部材と前記蓋部材が接触したとき磁力で接合状態を保つ磁力発生手段を配置したことを特徴とする。
【００１２】
本考案によれば、連結部材と蓋部材と接合状態となったとき磁力発生手段により接合状態に保持される。
【００１３】
よって、小物入れ蓋部材と底部材を開いた状態で、２枚の横板部材左の蓋位置設定部材で蓋部材を第２状態としたとき、連結部材と蓋部材の接合状態が保持され、蓋位置設定部材が底部材と蓋部材の間に安定して配置され、第２状態を保持できる。
【００１４】
同じく請求項３に記載の考案は、前記底部材と前記蓋部材の３つの辺の間に線ファスナを配置したことを特徴とする。
【００１５】
本考案によれば、底部材と蓋部材の３つの辺は線ファスナで容易に離間状態から接合状態にできる。
【００１６】
同じく請求項４に記載の考案は、前記物品収納部は、前側立設部、後側立設部、左側立設部、右側立設部を備え、前記底部材と前記蓋部材には小物入れの厚さを保持するマチ部を備えることを特徴とする。
【００１７】
本考案によれば、物品収納部は前側立設部、後側立設部、左側立設部、右側立設部を備え物品は物品収納部に確実に配置できる。また、底部材と蓋部材には小物入れの厚さを保持するマチ部を備えるので、底部材と蓋部材とを閉状態としても、内部に所定の厚さの空間を確保でき、物品の収納量を確保することができる。
【００１８】
同じく請求項５に記載の考案は、前記蓋部材の内側にポケットを配置したことを特徴とする。
【００１９】
本考案によれば、蓋部材の内側にポケットを配置している。よって、物品を物品収納部の他このポケットに収納でき、物品を整理して収納できる。
【考案の効果】
【００２０】
本考案に係る小物入れによれば、蓋部材を開状態で保持できると共に、収納量を確保しつつ薄手にできる。
【００２１】
即ち、請求項１に係る小物入れによれば、小物入れは底部材と蓋部材と２枚の横板部材とから構成され、横部材はそれぞれ蓋位置設定部材と接続部材とが境界線で折り曲げ可能に接続されて構成されている。そして、小物入れは、蓋部材を閉状態としたとき、２枚の横板部材は蓋位置設定部材と連結部材とが境界線から内側に向けて折り畳まれ前記底部材と前記蓋部材との間に収納されるものであり、また、蓋部材を開状態としたとき、２枚の横板部材は、蓋位置設定部材と連結部材とが屈曲されずに平面状となって前記蓋部材が最大の角度で開いた第１状態と、蓋位置設定部材と前記連結部材とが前記境界線から外側に向けて屈曲され、蓋位置設定部材が前記底部材に立設配置されると共に前記連結部材が蓋部材における輪郭線内の内面に接触して配置され前記底部材と前記蓋部材とを所定の角度に保持する第２状態、との間で形状変更可能である。
【００２２】
よって、小物入れ蓋部材と底部材を開いた状態で、２枚の横板部材左の蓋位置を前記底部材と前記蓋部材とを所定の角度に保持する第２状態に設定できる。このため、蓋部材が底部材に対して開いた状態で保持され物品収納部に配置された収納物が取り出しやすくなる。また、蓋部材を閉状態としたとき横板部材を内部に折り畳んで収納できるので、小物入れ全体が平坦な形状になり持ち運びがしやすい。
【００２３】
また、請求項２に係る小物入れによれば、連結部材と蓋部材と接合状態となったとき磁力発生手段により接合状態に保持される。
【００２４】
よって、小物入れ蓋部材と底部材を開いた状態で、２枚の横板部材左の蓋位置設定部材で蓋部材を第２状態としたとき、連結部材と蓋部材の接合状態が保持され、蓋位置設定部材が底部材と蓋部材の間に安定して配置され、第２状態を保持できる。
【００２５】
また、請求項３に係る小物入れよれば、底部材と蓋部材の３つの辺は線ファスナで容易に離間状態から接合状態にできる。
【００２６】
更に、請求項４に係る小物入れによれば、物品収納部は前側立設部、後側立設部、左側立設部、右側立設部を備え物品は物品収納部に確実に配置できる。また、底部材と蓋部材には小物入れの厚さを保持するマチ部を備えるので、底部材と蓋部材とを閉状態としても、内部に所定の厚さの空間を確保でき、物品の収納量を確保することができる。
【００２７】
そして、請求項５に係る小物入れによれば、蓋部材の内側にポケットを配置している。よって、物品を物品収納部の他このポケットに収納でき、物品を整理して収納できる。
【図面の簡単な説明】
【００２８】
【図１】蓋部材を閉めた状態での本考案の実施形態に係る小物入れの斜視図である。
【図２】蓋部材を開閉する途中での同小物入れの斜視図である。
【図３】蓋部材を開閉する途中での同小物入れを示す斜視図である。
【図４】同小物入れを示すものであり、（ａ）は蓋部材を開閉する途中での小物入れの斜視図、（ｂ）は同蓋部材を最大開度とした第１状態である小物入れを示す斜視図である。
【図５】同小物入れを示すものであり、（ａ）は蓋部材が蓋位置設定部材により開度が保持された第２状態における小物入れの斜視図、（ｂ）は横部材と台形部材を含む内部部材の展開図である。
【考案を実施するための形態】
【００２９】
本考案を実施するための形態に係る小物入れを図面に基づいて説明する。図１は蓋部材を閉めた状態での本考案の実施形態に係る小物入れの斜視図、図２は蓋部材を開閉する途中での同小物入れの斜視図、図３は蓋部材を開閉する途中での同小物入れを示す斜視図、である。また、図４は同小物入れを示すものであり、（ａ）は蓋部材を開閉する途中での小物入れの斜視図、（ｂ）は同蓋部材を最大開度とした第１状態である小物入れを示す斜視図、図５は同小物入れを示すものであり、（ａ）は蓋部材が蓋位置設定部材により開度が保持された第２状態における小物入れの斜視図、（ｂ）は横部材と台形部材を含む内部部材の展開図である。
【００３０】
本実実施形態に係る小物入れ１０は、図１〜図５に示すように、載置面Ｐへの載置状態において載置面Ｐに配置される底部材２０と、この底部材２０に折り畳み可能に連続して形成された蓋部材３０とを備えて構成される。蓋部材３０は、各図中矢印Ａで示すように底部材２０に対して回動可能である。
【００３１】
また、小物入れ１０の底部材２０には、物品収納部５０が配置され、この物品収納部５０に筆記具、文房具、その他の物品である小物が収納され、底部材２０と蓋部材３０の間に保持される。
【００３２】
小物入れ１０において、底部材２０と蓋部材３０との間において物品収納部５０を挟んで配置された２枚の横板部材４０、４０が配置されている。
【００３３】
底部材２０及び蓋部材３０は、それぞれ概略形状を左右に長い長方形とする（図中に上下、左右、前後の方向を矢印で示した）。なお、底部材２０及び蓋部材３０の形状は略同じ形であればどのような形状の矩形、例えば正方形等であってもよい。また、図２〜図５に示すように、蓋部材３０は底部材２０の後側の一辺である長辺部から折り曲可能に延設される。
【００３４】
なお、底部材２０及び蓋部材３０の他の三辺部は離間して形成されており、この三辺部が離れた状態において底部材２０と蓋部材３０との間に開口部１１が形成される。底部材２０及び蓋部材３０は皮革、合成皮革、天然皮革、布等、厚手の素材で形成できる。
【００３５】
底部材２０及び蓋部材３０の上述した３辺の間には、線ファスナ６０が配置されている。線ファスナ６０は、スライダ６１、エレメント及びテープからなる底側ファスナ部材６２、同じくエレメント及びテープからなる蓋側ファスナ部材６３、及びスライダ６１に配置されたつまみ部材６４を備える。
【００３６】
底部材２０には、小物入れ１０の上下方向の厚さ寸法を確保するマチ部２１が形成される他、内側に内装材２２が配置される。マチ部２１は布素材で形成でき、底側ファスナ部材６２のテープとすることができる。このマチ部２１は、底部材２０に糸で縫い付けられ、底部材２０の三辺に固定される。また、内装材２２は布素材で構成でき、この内装材２２は底部材２０に糸で縫製加工され底部材２０の内面に配置される。
【００３７】
蓋部材３０には、小物入れ１０の上下方向の厚さ寸法を確保するマチ部３１が形成される他、内部に内装材３２が配置される。マチ部３１は布素材で形成でき、底側ファスナ部材６２のテープにより構成することができる。マチ部３１は布素材で形成でき、底側ファスナ部材６２のテープで構成でき、このマチ部３１は蓋部材３０に糸で縫い付けられ、蓋部材３０の三辺に固定される。また、内装材３２は布素材で構成でき、この内装材３２は蓋部材３０に糸で縫製加工され蓋部材３０の内面に配置される。
【００３８】
物品収納部５０は、底部材２０の内側（図中上側）配置されている。物品収納部５０は、下端部を内装材２２に縫い付けられた前側立設部５１、左側立設部５２、右側立設部５３及び後側立設部５４を備える。前側立設部５１、左側立設部５２、右側立設部５３、後側立設部５４は、小物を収納可能な所定寸法の高さを備える布製長方形部材である。物品収納部５０は、これら４つの部材を側面とし底部材２０の内装材２２を底面として上側に開口を備える直方体形状の箱形状を構成する。
【００３９】
なお、前側立設部５１の両端部と、左側立設部５２、右側立設部５３とは縫製加工で接合され、後側立設部５４と左側立設部５２、右側立設部５３の間には底部材２０と蓋部材３０の開閉動を妨げないように隙間が形成されている。
【００４０】
ここで、前側立設部５１及び後側立設部５４の幅寸法は底部材２０の幅寸法よりやや小さい寸法であり、左側立設部５２、右側立設部５３の前後寸法は底部材２０の後行き寸法よりやや小さい寸法である。このため、物品収納部５０は、底部材２０の上面の略全面わたり配置されている。また、前側立設部５１、左側立設部５２、右側立設部５３、後側立設部５４の高さ寸法は底部材２０のマチ部２１及び蓋部材３０のマチ部３１の合計寸法よりやや小さい寸法である。
【００４１】
横板部材４０は、図２〜図５に示すように、物品収納部５０を挟んで底部材２０と蓋部材３０の左右両側部内側に配置されている。
【００４２】
図２〜図５に示すように、横板部材４０、４０は、それぞれ蓋位置設定部材４１と連結部材４２とを備えている。蓋位置設定部材４１と４２とは、両者の境界線をなす折曲線４３を挟んで隣接して配置される。即ち、連結部材４２は蓋位置設定部材４１に連設されており、蓋位置設定部材４１と連結部材４２とは、各図中矢印Ｂに示したように、折曲線４３で折り曲げ可能である。
蓋位置設定部材４１、４１は、その下側の一辺４２ｂを折曲線４５として、左側立設部５２又は右側立設部５３に折曲可能に接合されている。更に、連結部材４２は、連結部材４２の内側に位置する斜辺４２ａを折曲線４４として、それぞれ蓋部材３０に対して折曲可能に接合されている。
【００４３】
本実施形態に係る小物入れ１０において、連結部材４２は、斜辺４２ａにおいて等脚台形をなす中間部７１の脚７１ｂ、７１ｂに折曲可能に接続されている。即ち、本実施形態において、二つの横板部材４０、４０は、中間部７１の左右の脚７１ｂ、７１ｂに接合されて、全体として一枚の帯状部材７０を構成する。帯状部材７０は厚手の布材を縫合して形成される。
【００４４】
帯状部材７０は、所定の縁部が物品収納部５０の左側立設部５２、右側立設部５３、及び蓋部材３０の内装材３２に縫製加工で線接合されている。これにより、底部材２０と蓋部材３０の間に、折曲可能に配置される蓋位置設定部材４１及び連結部材４２、即ち横板部材４０を配置できる。
【００４５】
以下、帯状部材７０の形状について説明する。図５（ｂ）は横部材と台形部材を含む内部部材の展開図である。中間部７１は、物品収納部５０の後側立設部５４の幅寸法と同じ幅寸法を備える下辺７１ｃと、下辺７１ｃの幅寸法の約半分の上辺７１ａと、脚７１ｂ、７１ｂと、蓋部材３０の内側の前後寸法よりやや小さい高さ寸法を備える等脚台形状をなしている。中間部７１の上辺７１ａ、脚７１ｂ、７１ｂは蓋部材３０の内装材３２に縫合され、更に下辺７１ｃは後側立設部５４の上端に縫合されている。
【００４６】
連結部材４２は、略直角三角形状であり、中間部７１の脚７１ｂ、又は脚７１ｂを斜辺４２ａとし、中間部７１の上辺７１ａの延長線を一辺４２ｂ、蓋位置設定部材４１との境界線を他辺４２ｃとして蓋位置設定部材４１との折曲線４３を形成する。
【００４７】
本例では斜辺４２ａと一辺４２ｂがなす第１の角度、即ち角θ１を６０度、一辺４２ｂと他辺４２ｃのなす角を９０度、他辺４２ｃと斜辺４２ａがなす第２の角度、即ち角θ２を３０度としている。連結部材４２は、その斜辺４２ａが中間部７１の脚７１ｂと共通な線分であり折曲線４４を形成する。連結部材４２は、折曲線４４において蓋部材３０に揺動可能に接合される。
【００４８】
蓋位置設定部材４１は、略扇型であり、連結部材４２の他辺４２ｃを一つの半径４１ａとし、左側立設部５２（又は右側立設部５３）の上辺を他の半径４１ｂとし、開きの角θ１を６０度とする。蓋位置設定部材４１は、半径４１ａにおいて左側立設部５２、右側立設部５３の上辺において縫合され、この半径４１ｂを折曲線４５として揺動可能に配置される。なお、蓋位置設定部材４１は扇型に限らず、三角形等他の形状でもよい。
【００４９】
また、本実施形態では、図２〜図５に示すように蓋部材３０の開口側の隅部に磁力発生手段としてマグネット８１、８１を配置している。また、連結部材４２、４２の一辺４２ｂと他辺４２ｃがなす角の隅部にマグネット８１、８１に吸着される磁力発生手段として鉄片８２、８２を配置している。これにより、連結部材４２、４２を中間部７１と同じ平面に配置して蓋部材３０の内装材３２に接触させたとき、連結部材４２、４２が蓋部材３０に保持される。なお、マグネットと鉄片とはその配置位置を入れ替えることや、両者ともマグネットとすることができる。
【００５０】
更に、本実施形態に係る小物入れ１０において、蓋部材３０の内側、即ち中間部７１の内側には、小物入れの１０開口側に向け開口部を備え、物品を配置できるポケット７２を形成している。ポケット７２は、中間部７１に別の布部材を縫合して形成する。
【００５１】
このような構造を備える小物入れ１０は、蓋部材３０が閉状態のとき、２枚の横板部材４０、４０は蓋位置設定部材４１、４１と連結部材４２、４２とが折曲線４３、４３から内側に向けて折り畳まれ底部材２０と蓋部材３０との間であって物品収納部５０の上方に収納されている（図１、図２参照）。
【００５２】
そして、閉状態から線ファスナ６０を開いて蓋部材３０を上方に開けると、横板部材４０、４０は、図２、図３、図４（ａ）、図４（ｂ）に示す順に蓋位置設定部材４１、４１と連結部材４２、４２とが屈曲状態から伸びていく。このとき、蓋位置設定部材４１と連結部材４２とは、折曲線４３が内側から外側に向けて移動するように広がって開く。これにより、蓋位置設定部材４１と連結部材４２の屈曲角度が広がる方向に変化する。
【００５３】
また、蓋位置設定部材４１と連結部材４２とが平面に沿った状態に設定されると、図４（ｂ）に示すように、蓋部材３０は、底部材２０に対して最大角度に広がった第１状態となる。
【００５４】
更に、この第１状態から、蓋位置設定部材４１、４１と４５連結部材４２、４２とを、折曲線４３、４３が外側に移動するように屈曲する。すると、蓋位置設定部材４１が底部材２０と蓋部材３０との間に立設状態で配置される。この状態で、連結部材４２は、蓋部材３０の内装材３２に接触する。これにより、底部材２０と蓋部材３０とが所定の角度、即ち角θ１である６０度に保持される第２状態となる。
【００５５】
この状態で、蓋部材３０に配置したマグネット８１が連結部材４２に配置した鉄片８２を吸引して、連結部材４２を蓋部材３０の内面に保持する。このため、蓋位置設定部材４１は、底部材２０と蓋部材３０との間に安定して立設配置され、蓋部材３０の底部材２０に対する開度が保持される。
【００５６】
これにより、物品収納部５０の内部が外部から視認しやすくなり、物品収納部５０への物品の収納、取り出しが容易になる。
【００５７】
そして、蓋部材３０を閉じる場合には、連結部材４２を回動してマグネット８１と鉄片８２の吸着状態を解除し、図４（ａ）、図４（ｂ）、図３、図２に示した手順で横板部材４０を内側に折り畳みつつ蓋部材３０を底部材２０に近づけ開口部１１を閉じ、更に
線ファスナ６０を閉じる。これにより、小物入れ１０は閉状態となる。
【００５８】
以上のように、本実施形態に係る小物入れ１０によれば、蓋部材３０と底部材２０を所定の角度で開いた状態で保持できるので、物品収納部への物品の収納、取り出しを容易に行うことができる。また、小物入れ１０を閉状態としたとき横板部材４０を内部に折り畳んで収納でき、閉状態において小物入れ１０全体が平坦な形状になり、持ち運びがしやすい。また、底部材２０には物品収納部５０を配置し、底部材２０及び蓋部材３０にマチ部２１、３１を形成しているので、閉状態でも一定の内容量を確保できる。更に、蓋部材３０の内部にポケット７２を備えるので付箋などの小物を別に収納できる。
【産業上の利用可能性】
【００５９】
本考案に係る小物入れは、収納量を確保しつつ薄手とし、蓋部材を開状態で保持でき、ペンケース、文房具入れ等として使用でき、産業上の利用可能性がある。
【符号の説明】
【００６０】
１０：小物入れ
１１：開口部
２０：底部材
２１：マチ部
２２：内装材
３０：蓋部材
３１：マチ部
３２：内装材
４０：横板部材
４１：蓋位置設定部材
４１ａ、４１ｂ：半径
４２：連結部材
４２ａ：斜辺
４２ｂ：一辺
４２ｃ：他辺
４３、４４、４５：折曲線
５０：物品収納部
５１：前側立設部
５２：左側立設部
５３：右側立設部
５４：後側立設部
６０：線ファスナ
６１：スライダ
６２：底側ファスナ部材
６３：蓋側ファスナ部材
６４：つまみ部材
７０：帯状部材
７１：中間部
７１ａ：上辺
７１ｂ：脚
７１ｃ：下辺
７２：ポケット
８１：マグネット
８２：鉄片
【図１】
0003219719.tif 000003
【図２】
0003219719.tif 000004
【図３】
0003219719.tif 000005
【図４】
0003219719.tif 000006
【図５】
0003219719.tif 000007